(57)【要約】【課題】消費電力を大きくすることなく、より見やすい待機表示を実現した炊飯器を提供することを目的とする。【解決手段】商用電源５を直流電圧に変換して回路を動作させる電圧を供給する電源回路２６と、電源回路２６が供給する電圧を昇圧してより高い電圧を発生させる昇圧手段２７と、予約後の炊飯開始までの予約待機状態を示し、昇圧手段２７が出力する電圧によって表示を行う予約表示手段２５とを有するものである。これによって、より明るく見やすい待機表示を実現する場合、昇圧手段２７が低い電源電圧を昇圧することで高い電圧を発生させ、その出力電圧によって予約表示手段２５で表示を行うものであり、新たに余分な電源電圧を作る必要がなく、また消費電力を大きくすることなく、実現できるものである。【選択図】図１
2009131430.tif 000002
【特許請求の範囲】
【請求項１】
上面が開口した本体と、本体上面を開閉する蓋と、本体内に着脱自在に収納される内鍋と、内鍋を加熱する加熱手段と、加熱手段を駆動する駆動手段と、加熱手段を制御して炊飯や保温を行う制御手段と、時間やメニューを表示する表示手段と、炊飯開始や取消、予約時間入力を行う入力手段と、所定時間にご飯を炊き上げるように予約を行う予約手段と、時間を計時するタイマと、商用電源を直流電圧に変換して回路を動作させる電圧を供給する電源回路と、電源回路が供給する電圧を昇圧してより高い電圧を発生させる昇圧手段と、予約後の炊飯開始までの予約待機状態を示し、昇圧手段が出力する電圧によって表示を行う予約表示手段とを有する炊飯器。
【請求項２】
予約開始からの時間を計時する第一の計時手段と、予約開始から一定時間を経過すると予約表示手段の明るさを落とす第一の予約表示変更手段を有する請求項１に記載の炊飯器。
【請求項３】
蓋の開閉を検知する蓋開閉検知手段と、第一の予約表示変更手段により予約表示手段の明るさが落とされている時に蓋開閉検知手段が蓋開を検知すると、予約表示手段の明るさを元に戻す第二の予約表示変更手段とを有する請求項２に記載の炊飯器。
【請求項４】
予約待機中に蓋が開けられ再び蓋が閉じられてからの時間を計時する第二の計時手段と、予約待機中に蓋が開けられて、再び蓋が閉じられた場合、蓋が閉じられてから一定時間後に予約表示手段の明るさを落とす第三の予約表示変更手段を有する請求項３に記載の炊飯器。
【請求項５】
第一の予約表示変更手段により予約表示手段の明るさが落とされている時に入力手段に入力を検知すると、予約表示手段の明るさを元に戻す第四の予約表示変更手段を有する請求項２に記載の炊飯器。
【請求項６】
予約待機中に入力手段からの入力があってからの時間を計時する第三の計時手段と、予約待機中に入力手段からの入力があった場合、入力から一定時間後に予約表示手段の明るさを落とす第五の予約表示変更手段を有する請求項５に記載の炊飯器。
【請求項７】
昇圧手段を使用しないときは昇圧手段への電源供給を止める電源供給停止手段を有する請求項１〜６のいずれか１項に記載の炊飯器。
【発明の詳細な説明】
【技術分野】
【０００１】
本発明は、待機電力を低減して省エネをはかる炊飯器に関するものである。
【背景技術】
【０００２】
従来、この種の炊飯器として、炊飯や保温を行わない待機時には電源停止手段によって炊飯や保温時に駆動される駆動手段への電源供給を停止して消費電力を低減するものが知られている（例えば、特許文献１参照）。
【特許文献１】特開２０００−２８７８３７号公報
【発明の開示】
【発明が解決しようとする課題】
【０００３】
しかしながら、前記従来の構成では、より明るく見やすい待機表示を実現する場合、高い電圧が必要となり、駆動手段の電源を使用することになるが、この構成では、待機表示中は駆動手段への電源供給を止めることができなくなり、消費電力が大きくなるといった課題があった。
【０００４】
本発明は、前記従来の課題を解決するもので、消費電力を大きくすることなく、より見やすい待機表示を実現した炊飯器を提供することを目的とする。
【課題を解決するための手段】
【０００５】
前記従来の課題を解決するために、本発明の炊飯器は、商用電源を直流電圧に変換して回路を動作させる電圧を供給する電源回路と、電源回路が供給する電圧を昇圧してより高い電圧を発生させる昇圧手段と、予約後の炊飯開始までの予約待機状態を示し、昇圧手段が出力する電圧によって表示を行う予約表示手段とを有するものである。
【０００６】
これによって、より明るく見やすい待機表示を実現する場合、昇圧手段が低い電源電圧を昇圧することで高い電圧を発生させ、その出力電圧によって予約表示手段で表示を行うものであり、新たに余分な電源電圧を作る必要がなく、また消費電力を大きくすることなく、実現できるものである。
【発明の効果】
【０００７】
本発明の炊飯器は、消費電力を大きくすることなく、より見やすい待機表示を実現できるものである。
【発明を実施するための最良の形態】
【０００８】
第１の発明は、上面が開口した本体と、本体上面を開閉する蓋と、本体内に着脱自在に収納される内鍋と、内鍋を加熱する加熱手段と、加熱手段を駆動する駆動手段と、加熱手段を制御して炊飯や保温を行う制御手段と、時間やメニューを表示する表示手段と、炊飯開始や取消、予約時間入力を行う入力手段と、所定時間にご飯を炊き上げるように予約を行う予約手段と、時間を計時するタイマと、商用電源を直流電圧に変換して回路を動作させる電圧を供給する電源回路と、電源回路が供給する電圧を昇圧してより高い電圧を発生させる昇圧手段と、予約後の炊飯開始までの予約待機状態を示し、昇圧手段が出力する電圧によって表示を行う予約表示手段とを有する炊飯器とするものである。これによって、より明るく見やすい待機表示を実現する場合、昇圧手段が低い電源電圧を昇圧することで高い電圧を発生させ、その出力電圧によって予約表示手段で表示を行うものであり、新たに余分な電源電圧を作る必要がなく、また消費電力を大きくすることなく、実現できるものである。
【０００９】
第２の発明は、特に、第１の発明において、予約開始からの時間を計時する第一の計時手段と、予約開始から一定時間を経過すると予約表示手段の明るさを落とす第一の予約表示変更手段を有することにより、予約開始後に使用者はいつまでもそばにいて表示を見ているわけではないので、若干、予約表示手段の明るさを落とすることにより、予約時の消費電力を落とすことができるものである。
【００１０】
第３の発明は、特に、第２の発明において、蓋の開閉を検知する蓋開閉検知手段と、第一の予約表示変更手段により予約表示手段の明るさが落とされている時に蓋開閉検知手段が蓋開を検知すると、予約表示手段の明るさを元に戻す第二の予約表示変更手段とを有することにより、蓋が開かれるということは使用者が炊飯器を操作中である考えられるので、予約表示手段の明るさを元に戻すことで、操作中は予約表示手段を見やすくするものである。
【００１１】
第４の発明は、特に、第３の発明において、予約待機中に蓋が開けられ再び蓋が閉じられてからの時間を計時する第二の計時手段と、予約待機中に蓋が開けられて、再び蓋が閉じられた場合、蓋が閉じられてから一定時間後に予約表示手段の明るさを落とす第三の予約表示変更手段を有することにより、蓋が一旦閉じられてから一定時間経過すると、使用者は操作をしていないと考えられるので、若干予約表示手段の明るさを落とすことにより、予約時の消費電力を落とすことができるものである。
【００１２】
第５の発明は、特に、第２の発明において、第一の予約表示変更手段により予約表示手段の明るさが落とされている時に入力手段に入力を検知すると、予約表示手段の明るさを元に戻す第四の予約表示変更手段を有することにより、入力手段から入力があるということは、使用者が炊飯器を操作中である考えられるので、予約表示手段の明るさを元に戻すことで、操作中は予約表示手段を見やすくするものである。
【００１３】
第６の発明は、特に、第５の発明において、予約待機中に入力手段からの入力があってからの時間を計時する第三の計時手段と、予約待機中に入力手段からの入力があった場合、入力から一定時間後に予約表示手段の明るさを落とす第五の予約表示変更手段を有することにより、入力手段からの入力が一定時間ない場合は、使用者は操作をしていないと考えられるので、若干予約表示手段の明るさを落とすことにより、予約時の消費電力を落とすことができるものである。
【００１４】
第７の発明は、特に、第１〜第６のいずれか１つの発明において、昇圧手段を使用しないときは昇圧手段への電源供給を止める電源供給停止手段を有することにより、昇圧手段を使用しないときは、昇圧手段への電源供給を止めることにより、昇圧手段が消費する電力を削減することができるものである。
【００１５】
以下、本発明の実施の形態について、図面を参照しながら説明する。なお、この実施の形態によって本発明が限定されるものではない。
【００１６】
（実施の形態１）
図１〜図４は、本発明の実施の形態１における炊飯器を示すものである。
【００１７】
図１において、本実施の形態における炊飯器は、内鍋１が本体２内に着脱自在に収納されている。本体２は上面が開口しており、その上面を蓋２０が開閉する。加熱コイルなどより加熱手段３により内鍋１が誘導加熱される。単方向電源４は商用電源５が供給する交流が整流されたものである。単方向電源４をもとに平滑回路６、共振コンデンサ７、スイッチング素子８よりなるインバータ回路９が誘導加熱のための高周波電力を発生させる。駆動手段１０はインバータ回路８を介して加熱手段３を駆動する。制御手段１１は炊飯や保温時に駆動手段１０を制御することにより、加熱手段３を制御して炊飯や保温を行うものである。入力手段２１は制御手段１１への炊飯開始や取消、予約時間入力などを行うものであり、表示手段２２によって時間やメニューなどを表示する。
【００１８】
所定時間にご飯を炊き上げるように予約を行う予約炊飯機能は予約手段２３によって実現される。時間の計時はタイマ２４によって行う。予約炊飯をスタートし、予約後の炊飯開始までの予約待機状態を予約表示手段２５によって表示を行う。予約表示手段２５については、近年、より明るく見やすい表示実現のために、高電圧が求められている。電源回路２６は商用電源５を直流電圧に変換して回路を動作させる電圧を供給する。昇圧手段２７は、電源回路２６が供給する電圧を昇圧してより高い電圧を発生させ、予約表示手段２５の表示を行うに必要な高電圧を供給するものである。
【００１９】
図２は、本実施の形態における炊飯器の具体構成を示しており、既述したとおり、内鍋１は本体２内に着脱自在に設置され、加熱手段３は内鍋１を誘導加熱で加熱し、蓋２０は本体２の上面を開閉する形で設置されている。この蓋２０には蓋開閉検知手段２８が設けてあり、中のローラーの動作により蓋開閉を検知するものである。また加熱基板２９は、本体２内に装備され、内鍋１加熱のためのインバータ回路９などが内蔵されているものである。操作基板３０は、本体２前面に装備され、入力手段２１や表示手段２２などが設置されている。
【００２０】
図３は、操作基板３０の操作部を示しており、予約手段２３を構成する予約スイッチ３１、時スイッチ３２、分スイッチ３３により、表示手段２２を構成するＬＣＤ３４の表示を見ながら、炊飯終了してほしい時刻（以下、予約時刻）を設定するものである。また、予約開始から炊飯を開始するまでの予約待機の間に点灯表示される予約表示手段２５を構成する予約ＬＥＤ３５、同じく炊飯中に点灯表示を行う炊飯ＬＥＤ３６、保温中に点灯表示を行う保温ＬＥＤ３７を有している。
【００２１】
図４は、本実施の形態における炊飯器の具体回路を示している。
【００２２】
商用電源５から交流が供給され、平滑回路６を構成するダイオードブリッジ３８によって整流される。また平滑回路６を構成する平滑コンデンサ３９、共振コンデンサ７、スイッチング素子８よりなるインバータ回路９により、電磁誘導のための高周波電力を発生させる。電源回路２６を構成する電源ＩＣ４０は商用電源５からの交流をダイオード４１により半波整流し、電解コンデンサより平滑したものを、制御手段１１を構成するマイコン４２などの回路制御用電源Ｖ１と電磁誘導の制御用電源Ｖ２を作っている。なお、Ｖ２＞Ｖ１である。マイコン４２は駆動手段１０を駆動させて炊飯や保温の制御、表示手段２２を構成する液晶表示素子４３の制御などを行っている。入力手段２１を構成するスイッチ４４は炊飯や予約開始などのマイコン４２への入力を行っている。予約表示手段２５を構成するＬＥＤ４５は、予約炊飯時に点灯するが、高輝度ＬＥＤで消費電力が通常のＬＥＤよりも大きいため、Ｖ１により直接、ＬＥＤ４５を駆動することができず、またＶ２を使ってＬＥＤ４５を駆動すると、ＬＥＤ４５点灯中は電磁誘導制御用の回路にも通電されてしまうので、予約待機時の消費電力が大きくなるといった問題がある。そのため昇圧手段２７を構成する昇圧ＩＣ４６を使うことにより、Ｖ１を昇圧することでＬＥＤ４５などの高輝度ＬＥＤを点灯することを可能にし、またＶ２を使用しないのでＬＥＤ４５点灯中に電磁誘導制御用の回路に通電する必要がなくなり、消費電力も小さくて済むものである。
【００２３】
このように、本実施の形態では、昇圧手段が低い電源電圧を昇圧することで高い電圧を発生させ、その出力電圧によって予約表示手段で表示を行うものであり、新たに余分な電源電圧を作る必要がなく、また消費電力を大きくすることなく、より明るく見やすい待機表示を実現することができるものである。
【００２４】
（実施の形態２）
図５、図６は、本発明の実施の形態２における炊飯器を示すものである。実施の形態１と同一要素については同一符号を付してその説明を省略する。
【００２５】
図５に示すように、本実施の形態における炊飯器は、予約開始からの時間を計時する第一の計時手段５０と、予約開始から一定時間を経過すると予約表示手段２５の明るさを落とす第一の予約表示変更手段５１を有するものである。他の構成は実施の形態１と同様である。
【００２６】
次に、図６により炊飯器の動作について説明する。
【００２７】
ステップ５２、ステップ５３で予約待機中であることを判断し、ステップ５４にて、予約スタートからの時間を計時し、ステップ５５で予約開始から、５分立ったかどうかを判断し、５分たった場合は、ステップ５６へ行き、昇圧手段２７の出力電圧をＶ４に、５分たっていない時は、ステップ５７へ行き、昇圧手段２７の出力電圧をＶ３にする。ここで、Ｖ３＞Ｖ４であり、予約開始から５分たつと、昇圧手段２７の出力電圧が下がり、結果として予約表示手段２５の明るさが落ちるものである。
【００２８】
このように、本実施の形態では、予約開始から一定時間を経過すると予約表示手段の明るさを落とすことにより、予約開始後に使用者はいつまでもそばにいて表示を見ているわけではないので、若干、予約表示手段の明るさを落とし、予約時の消費電力を落とすことができるものである。これにより、予約開始から炊飯スタートするまでの予約待機時間の消費電力を削減するものである。
【００２９】
（実施の形態３）
図７、図８は、本発明の実施の形態３における炊飯器を示すものである。実施の形態１、２と同一要素については同一符号を付してその説明を省略する。
【００３０】
図７に示すように、本実施の形態における炊飯器は、蓋２０の開閉を検知する蓋開閉検知手段６０と、第一の予約表示変更手段５１により予約表示手段２５の明るさが落とされている時に蓋開閉検知手段６０が蓋開を検知すると、予約表示手段２５の明るさを元に戻す第二の予約表示変更手段６１とを有するものである。他の構成は実施の形態１、２と同様である。
【００３１】
次に、図８により炊飯器の動作について説明する。
【００３２】
ステップ５２〜ステップ５７までは、実施の形態２と同様である。ステップ６２において、蓋２０が開いているかどうかを判断し、もし蓋２０が開いていない時は、処理を行わない。蓋２０が開いている時はステップ６３へ行き、昇圧手段２７の出力電圧をＶ３にするものである。
【００３３】
このように、本実施の形態では、予約表示手段の明るさが落とされている時に蓋開を検知すると、蓋が開かれるということは使用者が炊飯器を操作中である考えられるので、予約表示手段の明るさを元に戻すことで、操作中は予約表示手段を見やすくするものである。
【００３４】
（実施の形態４）
図９、図１０は、本発明の実施の形態４における炊飯器を示すものである。実施の形態１〜３と同一要素については同一符号を付してその説明を省略する。
【００３５】
図９に示すように、本実施の形態における炊飯器は、予約待機中に蓋２０が開けられ再び蓋２０が閉じられてからの時間を計時する第二の計時手段７０と、予約待機中に蓋２０が開けられて、再び蓋２０が閉じられた場合、蓋２０が閉じられてから一定時間後に予約表示手段２５の明るさを落とす第三の予約表示変更手段７１を有するものである。他の構成は実施の形態１〜３と同様である。
【００３６】
次に、図１０により炊飯器の動作について説明する。
【００３７】
ステップ５２〜ステップ５７、ステップ６２、ステップ６３までは実施の形態３と同様である。ステップ７２で蓋２０が閉じられてからの時間を計時し、ステップ７３にて蓋２０が閉じられてから５分経過したかどうかを判断する。５分経過していない時は、処理を行わない。５分経過した時は、ステップ７４へ行き、昇圧手段２７の出力電圧をＶ４にするものである。
【００３８】
このように、本実施の形態では、予約待機中に蓋が開けられて、再び蓋が閉じられた場合、蓋が閉じられてから一定時間経過すると、使用者は操作をしていないと考えられるので、若干予約表示手段の明るさを落とすことにより、予約時の消費電力を落とすことができるものである。
【００３９】
（実施の形態５）
図１１、図１２は、本発明の実施の形態５における炊飯器を示すものである。実施の形態１〜４と同一要素については同一符号を付してその説明を省略する。
【００４０】
図１１に示すように、本実施の形態における炊飯器は、第一の予約表示変更手段５１により予約表示手段２５の明るさが落とされている時に入力手段２１に入力を検知すると、予約表示手段２５の明るさを元に戻す第四の予約表示変更手段８０を有するものである。他の構成は実施の形態１〜３と同様である。
【００４１】
次に、図１２により炊飯器の動作について説明する。
【００４２】
ステップ５２〜ステップ５７までは、実施の形態２と同様である。ステップ８１において、入力手段２１からの入力があるかどうかを判断し、もし入力がない時は、処理を行わない。もし入力があれば、ステップ８２へ行き、昇圧手段２７の出力電圧をＶ３にするものである。
【００４３】
このように、本実施の形態では、入力手段から入力があるということは、使用者が炊飯器を操作中である考えられるので、予約表示手段の明るさを元に戻すことで、操作中は予約表示手段を見やすくするものである。
【００４４】
（実施の形態６）
図１３、図１４は、本発明の実施の形態６における炊飯器を示すものである。実施の形態１〜５と同一要素については同一符号を付してその説明を省略する。
【００４５】
図１３に示すように、本実施の形態における炊飯器は、予約待機中に入力手段２１からの入力があってからの時間を計時する第三の計時手段９０と、予約待機中に入力手段２１からの入力があった場合、入力から一定時間後に予約表示手段２５の明るさを落とす第五の予約表示変更手段９１を有するものである。他の構成は実施の形態１〜３と同様である。
【００４６】
次に、図１４により炊飯器の動作について説明する。
【００４７】
ステップ５２〜ステップ８２までは、実施の形態５と同様である。ステップ９２において、入力手段２１からの入力から５分以上経過したかどうかを判断し、もし５分経過していない時は、処理を行わない。もし入力から５分経過していれば、ステップ９３へ行き、昇圧手段２７の出力電圧をＶ４にするものである。
【００４８】
このように、本実施の形態では、入力手段からの入力が一定時間ない場合は、使用者は操作をしていないと考えられるので、若干予約表示手段の明るさを落とすことにより、予約時の消費電力を落とすことができるものである。
【００４９】
（実施の形態７）
図１５は、本発明の実施の形態７における炊飯器を示すものである。実施の形態１と同一要素については同一符号を付してその説明を省略する。
【００５０】
図に示すように、本実施の形態における炊飯器は、昇圧手段２７を使用しないときは昇圧手段２７への電源供給を止める電源供給停止手段１００を有するものである。他の構成は実施の形態１と同様である。
【００５１】
このように、本実施の形態では、昇圧手段を使用しないときは、昇圧手段への電源供給を止めることにより、昇圧手段が消費する電力を削減することができるものである。
【００５２】
なお、本実施の形態における電源供給停止手段１００は、各実施の形態２〜６においても用いることができることは明らかである。
【産業上の利用可能性】
【００５３】
以上のように、本発明にかかる炊飯器は、消費電力を大きくすることなく、より見やすい待機表示を実現できるものであるので、炊飯器の種類を問わず炊飯器全般に適用することができる。
【図面の簡単な説明】
【００５４】
【図１】本発明の実施の形態１における炊飯器の構成を示すブロック図
【図２】同炊飯器の断面図
【図３】同炊飯器の操作部の構成を示す平面図
【図４】同炊飯器の具体回路を示す回路図
【図５】本発明の実施の形態２における炊飯器の構成を示すブロック図
【図６】同炊飯器の動作を示すフローチャート
【図７】本発明の実施の形態３における炊飯器の構成を示すブロック図
【図８】同炊飯器の動作を示すフローチャート
【図９】本発明の実施の形態４における炊飯器の構成を示すブロック図
【図１０】同炊飯器の動作を示すフローチャート
【図１１】本発明の実施の形態５における炊飯器の構成を示すブロック図
【図１２】同炊飯器の動作を示すフローチャート
【図１３】本発明の実施の形態６における炊飯器の構成を示すブロック図
【図１４】同炊飯器の動作を示すフローチャート
【図１５】本発明の実施の形態７における炊飯器の構成を示すブロック図
【符号の説明】
【００５５】
１  内鍋
２  本体
３  加熱手段
１０  駆動手段
１１  制御手段
２０  蓋
２１  入力手段
２２  表示手段
２３  予約手段
２４  タイマ
２５  予約表示手段
２６  電源回路
２７  昇圧手段
５０  第一の計時手段
５１  第一の予約表示変更手段
６０  蓋開閉検知手段
６１  第二の予約表示変更手段
７０  第二の計時手段
７１  第三の予約表示変更手段
８０  第四の予約表示変更手段
９０  第三の計時手段
９１  第五の予約表示変更手段
１００  電源供給停止手段
【図１】
2009131430.tif 000003
【図３】
2009131430.tif 000004
【図４】
2009131430.tif 000005
【図５】
2009131430.tif 000006
【図６】
2009131430.tif 000007
【図７】
2009131430.tif 000008
【図８】
2009131430.tif 000009
【図９】
2009131430.tif 000010
【図１０】
2009131430.tif 000011
【図１１】
2009131430.tif 000012
【図１２】
2009131430.tif 000013
【図１３】
2009131430.tif 000014
【図１４】
2009131430.tif 000015
【図１５】
2009131430.tif 000016
【図２】
2009131430.tif 000017